(57)【特許請求の範囲】
【請求項１】
データを記憶する記憶手段と、
該記憶手段に記憶しているデータを選択し、特定のデータとして設定する設定手段と、
該設定手段により特定のデータとして設定された当該データに対して操作手段によりアクセス操作がされると、通信端末の使用を制限する使用制限または通信端末の使用を禁止する使用禁止の制御を行う制御手段と、を備え、
前記設定手段は、前記記憶手段に記憶しているデータを選択し、特定のデータとして設定する場合、前記選択したデータに関する時刻情報を特定のデータとして設定したときの時刻情報に基づいて更新することを特徴とする通信端末。
【請求項２】
データを記憶する記憶手段と、
該記憶手段に記憶しているデータを選択し、特定のデータとして設定する設定手段と、
該設定手段により特定のデータとして設定された当該データに対して操作手段によりアクセス操作がされると、通信端末の使用を制限する使用制限または通信端末の使用を禁止する使用禁止の制御を行う制御手段と、を備え、
前記設定手段は、前記記憶手段に記憶しているデータを選択し、特定のデータとして設定している状態において、前記特定のデータを記憶しているデータフォルダに新たなデータが記憶されると、前記特定のデータに関する時刻情報を新たなデータを記憶したときの時刻情報に基づいて更新することを特徴とする通信端末。
【発明の詳細な説明】
【技術分野】
【０００１】
本発明は、携帯電話機等の通信端末における不正使用防止に関する。
【背景技術】
【０００２】
従来、携帯電話機においては、電話機を紛失したり盗難にあった場合、個人情報を盗み見られたり、不正に使用されることがあった。このような問題を防止するため、携帯電話機においては、パスワードが入力されないと、他のキー操作が無効にされるロック機能が設けられている機種がある。このような技術の一例として、例えば、特許文献１には、送受信毎にパスワードを入力する技術が開示されている。
【０００３】
また、特許文献２には、携帯電話機の所有者がロック機能を動作させる指令ボタンの操作を忘れても、電話の通話終了後、直ちに或いは所定の時間後、ロック機能が自動的に掛かるようにする技術が開示されている。
【特許文献１】特開２００１−３２０４７２号公報
【特許文献２】特開平１１−４２９１号公報
【発明の開示】
【発明が解決しようとする課題】
【０００４】
しかしながら、上述した従来技術においては、例えば、持ち主にとっては通話するたびにいつでもパスワードを入力してロックを解除しなければならず、非常に煩雑な携帯電話機になってしまうという問題があった。
本発明は、上記課題に鑑みてなされたもので、持ち主が普段普通に使用しても使い勝手に不便がなく、個人情報を盗み見られたり、不正に使用されることを防止する通信端末を提供する。
【課題を解決するための手段】
【０００５】
通信端末は、データを記憶する記憶手段と、該記憶手段に記憶しているデータを選択し、特定のデータとして設定する設定手段と、該設定手段により特定のデータとして設定された当該データに対して操作手段によりアクセス操作がされると、通信端末の使用を制限する使用制限または通信端末の使用を禁止する使用禁止の制御を行う制御手段と、を備え、前記設定手段は、前記記憶手段に記憶しているデータを選択し、特定のデータとして設定する場合、前記選択したデータに関する時刻情報を特定のデータとして設定したときの時刻情報に基づいて更新することを特徴とする。
また、通信端末は、データを記憶する記憶手段と、該記憶手段に記憶しているデータを選択し、特定のデータとして設定する設定手段と、該設定手段により特定のデータとして設定された当該データに対して操作手段によりアクセス操作がされると、通信端末の使用を制限する使用制限または通信端末の使用を禁止する使用禁止の制御を行う制御手段と、を備え、前記設定手段は、前記記憶手段に記憶しているデータを選択し、特定のデータとして設定している状態において、前記特定のデータを記憶しているデータフォルダに新たなデータが記憶されると、前記特定のデータに関する時刻情報を新たなデータを記憶したときの時刻情報に基づいて更新することを特徴とする。
【発明の効果】
【０００６】
本発明の通信端末は、特定のデータにアクセスされると、通信端末の使用禁止または使用制限モードに移行することで不正使用を防ぐことができる。
【発明を実施するための最良の形態】
【０００７】
以下、本発明の実施の形態を図面に基づいて詳細に説明する。
図１は、通信端末の不正使用防止方法を説明するため通信端末の代表例である携帯電話機１００を用いた場合のブロック図である。
図１に示す携帯電話機（通信端末）１００は、アンテナ１、無線部２、操作部３、音声処理部４、制御部６、記憶部５、機能部７、表示部８、スピーカ９、マイク（マイクロホン）１０で構成される。
さらに制御部６は、不図示の受信制御部、送信制御部、通知処理部、キー入力制御部などで構成される。
【０００８】
アンテナ１は無線部２に接続され、不図示の基地局との間で無線信号を送信または受信するために設けられている。受信の場合、基地局から送信された無線信号をアンテナ１で受信し、この受信信号を無線部２に出力する。また送信の場合、無線部２から送られて来た高周波、高出力の無線信号を基地局に送信する。
【０００９】
無線部２は、送受信部と変復調部で構成されている。受信部は、高周波増幅器、受信用ミキサ、復調器、遅延検波器、スペクトラム拡散器などで構成され、また送信部は、送信電力増幅器、送信ミキサ、Ｉ−Ｑ直交変調器、スペクトラム逆拡散器などで構成されている。
【００１０】
この無線部２は、無線網を構成する基地局との間で、無線通信に関する処理を行う。例えば、制御部６から供給される送信データを所定の変調処理を行い無線信号に変換し、アンテナ１から送出する。一方、アンテナ１で受信された無線信号を復調して受信データに変換し、復号化処理して制御部６に出力する。
【００１１】
操作部３は、数字キー、文字キー、矢印キー、決定キーなどの各種の機能を持ったキーを有しており、これらのキーをユーザーが操作し、そのキーデータを電気信号に変換して制御部６に出力する。
【００１２】
音声処理部４は、ＤＳＰ（Ｄｉｇｉｔａｌ  Ｓｉｇｎａｌ  Ｐｒｏｃｅｓｓｏｒ）、Ａ／Ｄ（アナログ−ディジタル）またはＤ／Ａ（ディジタル−アナログ）変換器やＡＦ（Ａｕｄｉｏ  Ｆｒｅｑｕｅｎｃｙ）増幅器などで構成され、制御部６から供給された音声信号を処理してスピーカ９に出力する。また、マイク１０から入力された音声を音声信号処理して、制御部６に出力する。
例えば、マイク１０から入力される音声信号は増幅され、Ａ／Ｄ変換され、さらに符号化等の信号処理が行われ、このディジタル音声信号が制御部６に出力される。一方、制御部６から供給された音声データはＤ／Ａ変換されアナログ音声信号に変換された後、増幅されてスピーカ９に出力される。
【００１３】
記憶部５は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などで構成される。ＲＯＭは、携帯電話機の動作に必要な情報や、制御部６に備えられた制御用ＣＰＵ（マイクロコンピュータ）を動作するためのプログラムなどを記憶する。このプログラムに従って制御用ＣＰＵは動作する。また制御用プログラムの中に、後述する携帯電話機１００の不正使用を防止するための各ステップを記述したプログラムがある。
ＲＡＭは、携帯電話機１００のメールを送信、受信するための情報などが記憶される。例えば、サービス情報の受信に際して制御部６で処理して得られた情報、基地局としてのアクセスポイントから受信した周辺基地局情報などが記憶される。
また、このＲＡＭには、電子メール、ＳＭＳ（Ｓｈｏｒｔ  Ｍｅｓｓａｇｅ  Ｓｅｒｖｉｃｅ）の送受信フォルダや写真、動画などの録画データフォルダ、アドレス帳なども格納する。
【００１４】
制御部６は、携帯電話機１００の全体的な動作に関する種々の処理を行う。
例えば、送信メールの作成、受信メールの保存、メールの送受信、操作部３からの文字、数値の入力、表示部８における送受信メールの表示などを制御する。
【００１５】
さらに、制御部６は、上述したように記憶部５に格納された制御用プログラム（オペレーティングシステム、アプリケーション等）に基いて処理を実行するマイクロコンピュータ（ＣＰＵ）を有しており、これらのプログラムにしたがって所定の処理を実行する。
【００１６】
機能部７は、記憶部５と制御部６を用いて、制御部６に組み込まれた制御用ＣＰＵ（マイクロコンピュータ）により制御され、携帯電話特有のメールやアドレス帳などの機能、またそれ以外に電子マネー・電子決済アプリケーション、放送受信アプリケーション（例えばディジタル放送受信アプリケーション）などの機能動作を行う。
【００１７】
表示部８は、たとえば液晶表示（ＬＣＤ；Ｌｉｑｕｉｄ  Ｃｒｙｓｔａｌ  Ｄｉｓｐｌａｙ）パネルや有機ＥＬ（Ｅｌｅｃｔｒｏ  Ｌｕｍｉｎｅｓｃｅｎｃｅ）パネルなどの表示デバイスを用いて構成されており、制御部６から供給される画像データに応じた画像を表示する。例えば、発信時における発信先の電話番号や、着信時における着信相手の電話番号、受信メールや送信メールの内容、待ち受け画面、日付、時刻、バッテリ残量等を表示する。
【００１８】
次に、本発明の携帯電話機１００の不正使用防止方法の処理手順について、図２〜図４のフローチャートに基づいて説明する。以後特定のデータを「トラップ」と記載することにし、「トラップ用データ」などのように記載する。
携帯電話機１００の記憶部５に格納された不正使用防止が設定されたプログラムは、セキュリティモード、トラップ用データ設定モードで構成されている。
【００１９】
本実施例の携帯電話機１００は、トラップ設定モードに移行した場合、トラップ用データの選択および解除などを行う。
このトラップ設定により、トラップが設定されたデータにアクセスすると、以後携帯電話機１００の使用が禁止または使用が制限されるようする。尚、セキュリティーモードの場合に、このトラップ設定されたデータにアクセスすることにより以後携帯電話機１００の使用が禁止または使用制限されるようにしても良い。
【００２０】
セキュリティモードは、トラップ設定されたデータにアクセスした場合に携帯電話機１００の以後の使用禁止、使用制限を動作させるモードである。使用禁止や使用制限が動作すると、パスワード等により認証されなければ動作は解除されない。
【００２１】
次に、図２に示すフローチャートについて説明する。この図２では、トラップ用データの例として、電子メールデータ、ＳＭＳ（Ｓｈｏｒｔ  Ｍｅｓｓａｇｅ  Ｓｅｒｖｉｃｅ）のデータ、写真、動画などの録画データ、発着信履歴（データ）、アドレス帳データなどを用いてトラップ用データを設定する例を説明する。
【００２２】
ステップＳ１−１において、ユーザの操作などにより携帯電話機１００がトラップ設定モードに移行する。
【００２３】
ステップＳ１−２でトラップ用データが選択されているとステップＳ１−３に遷移し、選択されないときはステップＳ１−４に遷移する。
【００２４】
ステップＳ１−３において、トラップ用データの選択および設定が終了すると、あるいは何も設定しなくても終了すると、データ閲覧形式をデフォルト表示（日付モード）にし、トラップ設定モードから抜けて、終了する（ＥＮＤ）。
【００２５】
ステップＳ１−４において、ステップＳ１−２でトラップ用データが選択されていないとき、または設定すべきトラップ用データの全てが終了していないとき、操作部３のキーを操作して、記憶部５に記憶してある、今まで受信（着信）したメールのデータや、記憶部５に記録したＳＭＳの送受信フォルダのデータ、写真、動画などの録画データ、発着信履歴データ、アドレス帳データを表示部８に表示し、その中からデータを任意に選択する。
【００２６】
ステップＳ１−５において、選択したデータをトラップ用データとする（ＯＮ）または解除する（ＯＦＦ）かを設定し、ＯＮにした場合、そのデータの日付を更新する。
例えば、メールデータをトラップ用データとして設定した場合、その日付を新しい日付（例えばそのときの日付）に更新する。これによりデータの一覧表示を行った時にすぐ表示されるようになる。尚、時間を同様に更新しても良い。
また写真、動画などの録画データや発着信履歴データも同様に日付けを更新する。尚、データの表示に日付が関連しないものは日付を更新しなくても良い。
過去にトラップ用データを設定していた場合はそのまま継続しても良いが、新しくトラップ用データが設定された際に同様に日付を更新しても良い。
選択したトラップデータのＯＮ／ＯＦＦを設定し、必要に応じて日付の更新が終わるとステップＳ１−２に遷移し、以後このフローに従い一連の動作を行い、選択が終了するとステップＳ１−３に遷移した後、終了する（ＥＮＤ）。
【００２７】
次に、セキュリティモードについて、図３に示すフローチャートと図１の携帯電話機１００を用いて説明する。
【００２８】
ステップＳ２−１において、キー操作により選択されてアクセスされたデータについて、制御部６のマイクロコンピュータによりトラップ用に設定したデータかどうかを判断する。
【００２９】
ステップＳ２−２において、選択してアクセスしたデータがトラップ用データであるか否かが判断された結果、トラップ用データにアクセスしたのであれば、携帯電話機１００を使用禁止または使用の制限を掛ける。例えば、携帯電話機１００の機能部７に存在する、電子マネー・電子決済アプリケーションなどの機能の使用を禁止したり、発信や着信を禁止したり、特定のフォルダやファイル（データ）へのアクセスを制限する。
【００３０】
ステップＳ２−３において、使用禁止または使用の制限が行われると、携帯電話機１００としての通話、電子メール、電子マネー・電子決済アプリケーションなどの機能動作が禁止され、制御部６のマイクロコンピュータにより表示部８に”パスワードを入力するか、またはお近くのショップまで…”などのメッセージを表示する。
【００３１】
ステップＳ２−４において、ユーザーは表示部８に表示されたパスワードの入力要求に対して、操作部３からキー操作により、暗証番号などのパスワードを入力する。
【００３２】
ステップＳ２−５において、パスワードが入力されると、マイクロコンピュータを用いて認証照合を行い、ユーザー認証されるまで待機する。
認証照合の結果、入力したパスワードが携帯電話機１００の保持者が設定した認証番号（パスワード）に合致して承認されると、ステップＳ２−６に遷移し、もし合致しないとパスワード入力のステップＳ２−４に戻る。もし、入力されたパスワードが承認されないと、表示部８にパスワードを再度入力することを要求するメッセージが表示される。
【００３３】
ステップＳ２−６において、認証照合の結果、ユーザー認証されれば、携帯電話機１００の使用禁止または使用制限が解除される。
【００３４】
これまでトラップ設定モードとセキュリティモードの動作について説明してきたが、これはトラップ用データが存在する場合に適用される。しかし、トラップ用データが存在しない場合、セキュリティーモードであっても上述の処理は行われない。
【００３５】
次に、トラップ用データの更新について図４のフローチャートと図１を用いで説明する。
【００３６】
ステップＳ３−１において、メール着信やカメラでの撮影により新しいデータの保存を行う処理が行われる。
【００３７】
ステップＳ３−２において、セキュリティモードの判断を行う。現在、セキュリティモード（トラップ用データが設定されている）であれば、ステップＳ３−３に遷移し、もしセキュリティモードでなければ終了する（ＥＮＤ）。
【００３８】
ステップＳ３−３において、トラップ用データの日付を例えば保存処理が行われた日付に更新し、終了する。尚、日付以外にも時間を同様に更新しても良い。
これにより、常にトラップ用データがデータリストの先頭に表示されるようになるので、日付や時間により表示されている場合、トラップ用データにアクセスされる可能性が高くなる。
【００３９】
また、これ以外にセキュリティモードをＯＮにすると非表示であったトラップ用データが最新日付で表示状態に移行する、という方法を用いても良い。
また、上述してきたトラップ用データは、オリジナルのデータを用いても良いし、オリジナルのデータをコピー（複写）したもの、又はオリジナルのデータから所定の情報だけをコピーして生成したデータ（例えばファイル名だけをコピーしたもの）を用いても良い。
【００４０】
次に、図５の画面遷移図に基づいて説明する。図５（Ａ）〜（Ｃ）に携帯電話機１００の表示部８に、トラップ設定の主要動作の画面を示す。また、図５（Ｄ）〜（Ｈ）に、セキュリティモード時の主要動作の画面を示す。
【００４１】
例えば電子メールを用いたトラップ設定について説明する。ユーザーは携帯電話機１００を起動した後、操作部３のキー操作により、表示部８に表示されたメールの受信フォルダを開く。そのときの表示画面の様子を図５（Ａ）に示す。
表示部８には、メールに関する受信フォルダの内容（データ）を表示してあり、例えば新着メールを保存する。その表示内容は、例えば着信番号（連番）、受信日、受信時刻、送信者（ＦＲＯＭ）、件名（ＳＵＢ）などがある。着信番号００１の受信日は２００５年１月２０日、受信時刻は１０時５９分とあり、続いて送信者（ＦＲＯＭ）は「狩野さ・・・」、件名（ＳＵＢ）は「おはよ〜」、次に着信番号００２の受信日は２００５年１月８日、受信時刻は９時２１分、送信者（ＦＲＯＭ）は「へろへろ」、件名（ＳＵＢ）は「へろへろか〜」、・・・と表示されている。
【００４２】
図５（Ｂ）にトラップ選択中の表示画面を示す。例えば使用者が受信フォルダの着信番号００２のメールを選択する。このとき、選択した画面が分かるように着信番号００２に関する表示領域を任意の色に着色して、携帯電話機１００の使用者がどの着信番号を選択したかを視覚的に識別できるようにしている。
【００４３】
図５（Ｃ）に任意のメールを選択、決定したときの表示画面を示す。トラップデータが選択されて所定の処理により決定されると、着信番号００２のメールは日付が更新されて、データの最上段に表示される。その結果、着信番号００１は００２と入れ代わり、着信番号００１の受信日は２００５年１月２０日、受信時刻は１１時１９分、続いて送信者（ＦＲＯＭ）は「へろへろ」、件名（ＳＵＢ）は「へろへろか〜」となる。次に、着信番号００２の受信日は２００５年１月２０日、受信時刻は１０時５９分とあり、送信者（ＦＲＯＭ）は「狩野さ・・・」、件名（ＳＵＢ）は「おはよ〜」となる。それ以降のデータは変更しなくても良い。
【００４４】
次に、セキュリティモードの動作について、図５（Ｄ）〜（Ｈ）を用いて説明する。
図５（Ｄ）に、セキュリティモード時に表示部８に表示された表示内容を示す。ここでもトラップデータとして電子メールを用いた例を示す。
操作者がメールの受信フォルダを開いて（図５（Ｄ））、着信番号００１のメールを選択したとする。
【００４５】
ここで操作者が着信番号００１を選択、決定すると、着信番号００１はセキュリティ動作を実行するために、トラップを設定（ステップＳ２−１〜ステップＳ２−５）してあったので使用禁止動作が働き、表示部８の表示画面に「パスワードを入力するか、またはお近くのショップまで・・・」の選択要求メニューが表示され携帯電話機１００の入力の制限が掛けられ、携帯電話機１００の機能が停止する（ステップＳ２−６）。
このように、例えば操作者が携帯電話機の持ち主でない場合に、ある（受信）フォルダのデータにトラップが設定してあることを知らずに選択すると、直ちにこの携帯電話機の使用禁止または使用制限がかかるようにされる。
【００４６】
次に、携帯電話機１００の操作者がメールの受信フォルダを開いて（図５（Ｄ））、着信番号００２のメールを選択する（図５（Ｇ））。
そして、トラップが設定されていない着信番号００２が決定されると、着信番号００２のメールの内容を読むことができる。図５（Ｈ）には決定後の表示部８の表示画面の様子を示していて、メールの内容が表示される。
【００４７】
また、携帯電話機について説明してきたが、本発明はこれに限定されるものでなく、ＰＤＡ（Personal Digital Assistance）などの通信端末にも適用できる。
【００４８】
以上説明したように、本発明の通信端末の不正使用防止方法及びその通信端末は、特定のデータにアクセスしなければ通信端末の持ち主の通常使用を妨げない。しかし第三者がその通信端末を使用し、特定のデータにアクセスすると、使用禁止または使用制限が行われる。
また、上述しているアクセスとは、例えば（１）発着信履歴データの場合、発着信履歴データに基づいて行う発信操作、（２）メールの場合、本文などの詳細表示操作、（３）静止画像データの場合、ファイル表示から全画面表示、（４）動画像データの場合、ムービーの再生、（５）ブラウザの場合、ブックマークにあるアドレスへのアクセス、（６）アドレス帳の場合、その詳細表示操作、などを意味している。尚、これらのアクセスに限定するものではない。
【図面の簡単な説明】
【００４９】
【図１】本発明の通信端末の不正使用防止方法の実施形態のブロック図である。
【図２】本発明の通信端末の不正使用防止方法の実施形態のスタートモードに関する処理手順を示すフローチャートである。
【図３】本発明の通信端末の不正使用防止方法の実施形態のセキュリティモードに関する処理手順を示すフローチャートである。
【図４】本発明の通信端末の不正使用防止方法の実施形態のトラップデータ更新に関する処理手順を示すフローチャートである。
【図５】本発明の通信端末の不正使用防止方法の実施形態の画面遷移図である。
【符号の説明】
【００５０】
１…アンテナ、２…無線部、３…操作部、４…音声処理部、５…記憶部、６…制御部、７…機能部、８…表示部、９…スピーカ、１０…マイク、１００…通信端末（携帯電話機）。
【図１】
0004458365.tif 000002
【図２】
0004458365.tif 000003
【図３】
0004458365.tif 000004
【図４】
0004458365.tif 000005
【図５】
0004458365.tif 000006